(57)【要約】【課題】  撮影姿勢の違いにかかわらず、ビデオカメラ本体を姿勢に無理なく、しっかりと支持することができるビデオカメラを提供する。【解決手段】  レンズ部１０とビューファインダ１４とが設けられたビデオカメラ本体２を構成する第１のケーシング３を、記録再生部１２が設けられたビデオカメラ本体２を構成する第２のケーシング４に対して、少なくとも９０度を越える範囲で相対回動可能に一体的に連結して構成することによって、撮影姿勢の違いに関係なく、ビデオカメラ本体２を支持する手の前腕部と掌とが伸びた自然な状態のまま、ビデオカメラ本体２の本体把持部としての第１のケーシング３を把持することができ、肩、肘、手首等に負担をかけない楽な姿勢でビデオカメラ本体２を支持することができる。【選択図】  図１
2004180270.tif 000002
【特許請求の範囲】
【請求項１】
記録再生部が設けられた第１のケーシングと、
レンズ部が設けられた第２のケーシングと、
前記第１のケーシング及び第２のケーシングを少なくとも９０度を越える範囲で相対回動可能に一体的に連結する回動機構と
を備え、
前記第２のケーシングには、ビューファインダ部が設けられているとともに、モニタ部が画面向きを調整可能に設けられている
ことを特徴とするビデオカメラ。
【請求項２】
記録再生部が設けられた第１のケーシングと、
レンズ部が設けられた第２のケーシングと、
前記第１のケーシング及び第２のケーシングを少なくとも９０度を越える範囲で相対回動可能に一体的に連結する回動機構と
を備え、
前記第１のケーシングには、撮影時に操作される操作スイッチが配置され、
前記第２のケーシングには、ビューファインダ部が設けられているとともに、モニタ部が画面向きを調整可能に設けられている
ことを特徴とするビデオカメラ。
【請求項３】
前記モニタ部は、前記第２のケーシングの、前記第１のケーシングに相対向する側と反対側の面に設けられている
ことを特徴とする請求項１又は２記載のビデオカメラ。
【請求項４】
前記第１のケーシング及び第２のケーシングは、前記回動機構を介してそれぞれのケーシングの厚さ方向に一体的に連結されてビデオカメラ本体を構成する
ことを特徴とする請求項１から３いずれかに記載のビデオカメラ。
【請求項５】
前記第１のケーシングの厚さ寸法と前記第２のケーシングの厚さ寸法とを合わせてなるビデオカメラ本体の幅は、前記第１のケーシングの厚さ寸法以外の寸法単独又は前記第２のケーシングの厚さ寸法以外の寸法単独により規定される、ビデオカメラ本体の高さ寸法及び長さ寸法よりも短い
こと特徴とする請求項４記載のビデオカメラ。
【請求項６】
前記第１のケーシングの前記第２のケーシングに対する回動対向面の中心位置と、前記第２のケーシングの前記第１のケーシングに対する回動対向面の中心位置と、前記回動機構の回動中心位置とをそれぞれ合わせるようにして、前記第１のケーシングと前記第２のケーシングとは前記回動機構を介して連結されている
ことを特徴とする請求項１又は２記載のビデオカメラ。
【請求項７】
前記スイッチは、スタート/ストップスイッチと、ズームスイッチとである
ことを特徴とする請求項２記載のビデオカメラ。
【請求項８】
前記スタート/ストップスイッチとズームスイッチとは、前記第１のケーシングの前記第２のケーシングに対する回動対向面にそれぞれ連続する、隣り合う側面にそれぞれ配置されている
ことを特徴とする請求項７記載のビデオカメラ。
【請求項９】
記録再生部が設けられ、一対の端面、及び該一対の端面間を接続する側面を備えた箱体形状の第１のケーシングと、
レンズ部及びビューファインダ部が設けられ、一対の端面、及び該一対の端面間を接続する側面を備えた箱体形状の第２のケーシングと、
前記第１のケーシングの側面に設けられた操作スイッチと、
前記第２のケーシングの一方の端面に、画面向きが調整可能に設けられたモニタ部と、
前記第１のケーシングの一方の端面と前記第２のケーシングの他方の端面とを相対向させて、前記第１のケーシングの側面における所定部分を、前記レンズ部の開口部と同方向及び逆方向に向けて配置できるように、前記第２のケーシングに対し前記第１のケーシングを相対回動可能に一体的に連結する回動機構と
を備えていることを特徴とするビデオカメラ。
【請求項１０】
前記第１のケーシングの側面における所定部分は、前記操作スイッチとの関係で規定される側面部分である
ことを特徴とする請求項９記載のビデオカメラ。
【請求項１１】
前記操作スイッチは、スタート/ストップスイッチ又はズームスイッチの中の少なくともいずれかである
ことを特徴とする請求項９又１０記載のビデオカメラ。
【請求項１２】
前記第１のケーシング及び前記第２のケーシングは、各箱体形状が大きさの略同じ薄型直方体形状によって構成されている
ことを特徴とする請求項９から１１いずれかに記載のビデオカメラ。
【請求項１３】
前記第２のケーシングには、前記第１のケーシングの側面における所定部分が前記レンズ部の開口部と同方向を向いて配置されている前記第２のケーシングの相対回動状態を検出する検出手段が備えられ、
該検出手段による前記第２のケーシングの相対回動状態の検出を受けて、前記モニタ部には前記レンズ部により撮影された映像が反転表示される
ことを特徴とする請求項９から１２いずれかに記載のビデオカメラ。
【請求項１４】
レンズ部の開口部が一端側に設けられたカメラ部と、
該カメラ部の他端側に設けられたビューファインダ部と、
該カメラ部に対して画面を出没自在に揺動可能に設けられ、かつ該カメラ部に対して当該画面を出現させた状態で画面向きを回動可能に設けられたモニタ部と、
記録再生部が設けられるとともに、前記カメラ部に回動機構を介して相対回動可能に一体的に連結された本体把持部とを備え、
前記モニタ部及び本体把持部は、前記カメラ部を挟んで相対配置され、前記カメラ部に対して互いに独立して回動可能に構成されているとともに、
かつ、前記本体把持部は、その把持方向を、少なくとも前記カメラ部の一端側向きと他端側向きとの間で任意に調整可能に構成されている
ことを特徴とするビデオカメラ。
【請求項１５】
前記カメラ部の一端側向きは、前記レンズ部の開口部の開口方向であり、前記カメラ部の他端側向きは、前記ビューファインダ部の覗き窓の開口方向である
ことを特徴とする請求項１４記載のビデオカメラ。
【請求項１６】
前記カメラ部には、前記本体把持部の把持方向が前記レンズ部の開口部の開口方向と同方向を向いて配置されている前記カメラ部の相対回動状態を検出する検出手段が備えられ、
該検出手段による前記カメラ部の相対回動状態の検出を受けて、前記モニタ部には前記レンズ部により撮影された映像が反転表示される
ことを特徴とする請求項１５記載のビデオカメラ。
【請求項１７】
記録再生部が設けられた第１のケーシングと、
レンズ部が設けられた第２のケーシングと、
前記第１のケーシング及び第２のケーシングを相対回動可能に一体的に連結する回動機構と、
前記第１のケーシングに両端が係止されて架設され、当該第１のケーシングに宛がわれた手の甲が挿通され、当該宛がわれた手の姿勢変化を抑えるストラップ部材と、
前記第２のケーシングに画面向きが調整可能に設けられたモニタ部と
を備え、
前記回動機構は、
当該第１のケーシングに宛がわれる手の前記ストラップ部材に対する挿通方向と前記レンズ部の光軸方向とが略直角に交叉する相対回動位置状態を基準位置状態として、前記第１のケーシングを前記第２のケーシングに対して正逆回動可能に一体的に連結する
ことを特徴とするビデオカメラ。
【請求項１８】
前記回動機構は、基準位置状態から前記第１のケーシングを前記第２のケーシングに対して正方向に回動させて、前記レンズ部の光軸方向によって定まる撮影方向と前記ストラップ部材に対する手の挿通方向とが略同方向になるとともに、基準位置状態から前記第１のケーシングを前記第２のケーシングに対して逆方向に回動させて、前記レンズ部の光軸方向によって定まる撮影方向と前記ストラップ部材に対する手の挿通方向とが略反対方向になるように、前記第１のケーシングを前記第２のケーシングに対して回動位置させる
ことを特徴とする請求項１７記載のビデオカメラ。
【請求項１９】
前記第１のケーシングには、前記ストラップ部材に手の甲を挿通させ、当該第１のケーシングに宛がった手の指位置に合わせて、スタート/ストップスイッチと、ズームスイッチとを配置してなる
ことを特徴とする請求項１７又は１８記載のビデオカメラ。
【請求項２０】
前記第２のケーシングには、前記レンズ部レンズ部の光軸方向によって定まる撮影方向と反対向きにビューファインダ部が設けられている
ことを特徴とする請求項１７から１９いずれかに記載のビデオカメラ。
【請求項２１】
前記第１のケーシング及び前記第２のケーシングは、大きさが略同じの薄型直方体形状によって構成され、前記回動機構を介してそれぞれのケーシングの厚さ方向に一体的に連結されてビデオカメラ本体を構成する
ことを特徴とする請求項１７から２０いずれかに記載のビデオカメラ。
【請求項２２】
前記第１のケーシング及び前記第２のケーシングは、基準位置状態で厚さ方向に視て、薄型直方体形状の各縁が略重なる
ことを特徴とする請求項２１記載のビデオカメラ。
【請求項２３】
前記第１のケーシングの厚さ寸法と前記第２のケーシングの厚さ寸法とを合わせてなるビデオカメラ本体の幅は、前記第１のケーシングの厚さ寸法以外の寸法単独又は前記第２のケーシングの厚さ寸法以外の寸法単独により規定される、ビデオカメラ本体の高さ寸法及び長さ寸法よりも短いこと特徴とする
請求項２１叉は２２記載のビデオカメラ。
【請求項２４】
前記第１のケーシングの前記第２のケーシングに対する回動対向面の中心位置と、前記第２のケーシングの前記第１のケーシングに対する回動対向面の中心位置と、前記回動機構の回動中心位置とをそれぞれ合わせるようにして、前記第１のケーシングと前記第２のケーシングとは前記回動機構を介して連結されている
ことを特徴とする請求項２１から２３いずれかに記載のビデオカメラ。
【発明の詳細な説明】
【技術分野】
【０００１】
本発明は、ビデオカメラに係り、特に、レンズ部、記録再生部、ビューファインダ等が一体的に設けられたビデオカメラ本体を片手で支持しながら撮影操作を行う形式のビデオカメラに関する。
【背景技術】
【０００２】
従来、レンズ部、記録再生部、ビューファインダ等が一体的に設けられたビデオカメラが知られている。
この種のビデオカメラの形式として、片手でビデオカメラ本体を支持しながら、支持した側の手の指でスタート/ストップ、ズームイン/ズームアウト等といった撮影操作が行える、いわゆるシューティング方式のビデオカメラが知られている。
【０００３】
そして、このシューティング方式のビデオカメラには、画面モニタを、レンズ部、ＶＴＲ部（後述の記録再生部に対応）等といったビデオカメラ本体の他部に対して可動させるための可動機構が備えられているものがあり、この可動機構を利用して、画面モニタの向きをビデオカメラ本体の他部に対して適宜位置決めすることにより、ビューファインダによらず画面モニタを覗きながら種々の姿勢で撮影が行える。
【０００４】
図１０は、画面モニタが可動するシューティング方式のビデオカメラによる代表的な撮影姿勢の説明図である。
上述したシューティング方式のビデオカメラ１０１では、図１０（ａ）に示す、ビューファインダ１１４を覗きながら、又は撮影方向Ｘと反対向きＹに画面向きを調整した画面モニタ１１６を覗きながら、ビデオカメラ本体１０２の高さ位置ｈを撮影者２００自身の顔の高さ位置ｈｆに支持して撮影する通常姿勢撮影、図１０（ｂ）に示す、ハイアングルを撮影するために画面モニタ１１６の向きＹを通常姿勢撮影の場合に対して下方に向けて、ビデオカメラ本体１０２の高さ位置ｈを撮影者自身２００の顔の高さ位置ｈｆよりも高い高さ位置ｈｈに支持し、画面モニタ１１６を見上げるように覗きながら撮影する高姿勢撮影、図１０（ｃ）に示す、ローアングルを撮影するために画面モニタ１１６の向きＹを通常姿勢撮影の場合に対して上方に向けて、ビデオカメラ本体１０２の高さ位置ｈを撮影者２００自身の顔の高さ位置ｈｆよりも低い高さ位置ｈｌに支持し、画面モニタ１１６を見下ろすように覗きながら撮影する低姿勢撮影が行われる。
【０００５】
すなわち、画面モニタ１１６の向きＹを、撮影者２００の目線高さ位置ｈｆに合わせて、レンズ部等が設けられた本体支持部１０３に対し回動調整することにより、可動機構を有する画面モニタ１１６を備えたシューティング方式のビデオカメラ１０１では、図１０（ａ）に示した通常姿勢撮影に加え、図１０（ｂ），（ｃ）に示すような高姿勢撮影、低姿勢撮影が行える。
【０００６】
ところが、上述したシューティング方式のビデオカメラ１０１では、この通常姿勢撮影、高姿勢撮影、低姿勢撮影の何れの撮影姿勢においても、図１０（ａ）〜（ｃ）に示すとおり、画面モニタ１１６以外のレンズ部、ＶＴＲ部といったビデオカメラ本体１０２の他部、すなわち撮影者２００が撮影の際にビデオカメラ本体１０２を支持するための本体支持部１０３の姿勢は、撮影方向Ｘが同じ向きであれば、レンズ部の光軸方向との関係で変わらない。
【０００７】
そのため、従来のシューティング方式のビデオカメラ１０１では、撮影方向Ｘが同じ向きである場合、通常姿勢撮影、高姿勢撮影、低姿勢撮影と撮影姿勢が変化しても、本体支持部１０３の姿勢自体は変わらないため、撮影者２００がビデオカメラ本体１０２を支持するための本体支持部１０３の把持状態は、その肘や手首の曲げ易さ、及びこれら部分についての姿勢の維持し易さ等の関係で、撮影姿勢毎に大いに異なる。
【０００８】
図１１は、通常姿勢撮影及び低姿勢撮影における、撮影者による本体支持部の把持状態の説明図である。
なお、図１１では、画面モニタ１１６（図１１においては、背面側に位置するため、図上表れない）が、レンズ部１１０、ＶＴＲ部１１２、ビューファインダ１１４からなるビデオカメラ本体１０２の本体支持部１０３に対して回動調整可能なビデオカメラ１０１を例に、本体支持部１０３の把持状態を説明する。
【０００９】
図１１（ａ）は、通常姿勢撮影の場合の、本体支持部の把持状態の説明図である。
通常姿勢撮影の場合は、撮影方向Ｘすなわちレンズ部１１０の光軸方向ｘ−ｘに対して垂直な、本体支持部１０３の上下方向ｚ−ｚの下方側から、本体支持部１０３の上面１０３Ａに親指以外の他の指を掛けるようにして、ビデオカメラ本体１０２を顔高さ位置ｈｆに、図１０（ａ）に示したように支持する。
【００１０】
図１１（ｂ）は、低姿勢撮影の場合の、本体支持部の把持状態の説明図である。
低姿勢撮影の場合は、撮影方向Ｘすなわちレンズ部１１０の光軸方向ｘ−ｘに沿った本体支持部１０３の後方側の、レンズ部１１０が設けられた側と反対側のビューファインダ１１４側の後面１０３Ｄ側から、本体支持部１０３の前方側の、レンズ部１１０側の前面１０３Ｂに親指以外の他の指を掛けるようにして、顔高さ位置ｈｆよりも低い高さ位置ｈｌに、図１０（ｃ）に示したように支持する。
【００１１】
その際、図１０（ａ）にも示したように、その撮影姿勢の違いに関係なく、ビデオカメラ本体１０２を支持する撮影者の掌が宛がわれる本体支持部１０３の横面１０３Ｅには、ストラップ部材１３０がその両端をピン等からなる係止部材１３１にそれぞれ装着されて、架設されている。
【００１２】
これにより、撮影者がビデオカメラ本体１０２を支持する際は、その撮影姿勢の違いにかかわらず、本体支持部１０３の横面１０３Ｅと、ストラップ部材１３０との間に、手及び指を挿通させて、親指以外の他の指を前述した本体支持部１０３の上面１０３Ａや前面１０３Ｂに掛け、掌を本体支持部１０３の横面１０３Ｅに宛がい、手の甲をストラップ部材１３０によって押えられながら、本体支持部１０３を把持する。
【００１３】
その上で、図１１に示したビデオカメラ１０１の場合は、本体支持部１０３のビューファインダ１１４側の後面１０３Ｄに配置された、撮影のスタート/ストップを指示するためのスタート/ストップスイッチ１２１や、また、本体支持部１０３の上面１０３Ａに配置された、焦点距離を調整するためのズームイン/ズームアウトスイッチ１２３を、本体支持部１０３を把持した手の指で操作する。
【特許文献１】特開２００１−１１１８７７号公報
【発明の開示】
【発明が解決しようとする課題】
【００１４】
しかし、上記した従来のシューティング方式のビデオカメラにおいては、次に述べるような問題点があった。
まず、図１１に示すように、ビデオカメラ本体１０２の小型化に伴い、撮影者が掌を宛がう本体支持部１０３の横面１０３Ｅ自体の面積（長さ、幅）も縮小されることによって、ストラップ部材１３０の架設長さも手及び指を自然な格好で挿通させるための十分な長さを確保するのが難しくなってきた。
【００１５】
また、上述したように、撮影姿勢の違いによって、撮影者の本体支持部１０３に対する把持方向が異なり、把持した手の指の本体支持部１０３上の当接位置も異なるため、ストラップ部材１３０の架設位置が撮影姿勢の違いによって、ある撮影姿勢では本体支持部１０３の把持に支障は無いものの、別の撮影姿勢では本体支持部１０３の把持の邪魔になったり、本体支持部１０３を把持した手の甲を十分に押えることができない、といった問題点が起きてきた。
【００１６】
具体的には、図１１に示したビデオカメラの場合、ストラップ部材１３０が、本体支持部１０３の横面１０３Ｅの光軸方向ｘ−ｘに沿った横方向に架設されているため、通常姿勢撮影の場合は、図１１（ａ）に示すように、ストラップ部材１３０は支持した手の親指と人指し指との間を通って手の甲を跨いで延設された状態になるので、掌を本体支持部１０３の横面１０３Ｅに宛がい、手の甲をストラップ部材１３０によって押えられながら、ビデオカメラ本体１０２の本体支持部１０３をしっかりと把持することができる。
【００１７】
しかし、低姿勢撮影の場合は、図１１（ｂ）に示すように、本体支持部１０３の把持方向が異なり、本体支持部１０３上の把持する手の指かけ位置も異なるため、ストラップ部材１３０を支持した手の親指と人指し指との間を通して手の甲を跨いだ状態で使用しにくく、ビデオカメラ本体１０２の本体支持部１０３をしっかりと把持することができない。
【００１８】
また、把持した手に対する、前述したスタート/ストップスイッチ１２１や、ズームイン/ズームアウトスイッチ１２３等の操作スイッチの位置も変化することになるので、その操作も行いにくくなる。
【００１９】
本発明は、上述した問題点を鑑みなされたものであって、撮影姿勢の違いにかかわらず、ビデオカメラ本体を、姿勢に無理なく、しっかりと支持することができるビデオカメラを提供することを目的とする。
【課題を解決するための手段】
【００２０】
上記目的を達成するために、本発明のビデオカメラは、記録再生部が設けられた第１のケーシングと、レンズ部が設けられた第２のケーシングと、前記第１のケーシング及び第２のケーシングを少なくとも９０度を越える範囲で相対回動可能に一体的に連結する回動機構とを備え、前記第２のケーシングには、ビューファインダ部が設けられているとともに、モニタ部が画面向きを調整可能に設けられていることを特徴とする。
【００２１】
また、本発明のビデオカメラは、記録再生部が設けられた第１のケーシングと、レンズ部が設けられた第２のケーシングと、前記第１のケーシング及び第２のケーシングを少なくとも９０度を越える範囲で相対回動可能に一体的に連結する回動機構とを備え、前記第１のケーシングには、撮影時に操作される操作スイッチが配置され、前記第２のケーシングには、ビューファインダ部が設けられているとともに、モニタ部が画面向きを調整可能に設けられていることを特徴とする。
そして、本発明のビデオカメラでは、前記モニタ部は、前記第２のケーシングの、前記第１のケーシングに相対向する側と反対側の面に設けられていることを特徴とする。
【００２２】
また、本発明のビデオカメラでは、前記第１のケーシング及び第２のケーシングは、前記回動機構を介してそれぞれのケーシングの厚さ方向に一体的に連結されてビデオカメラ本体を構成することを特徴とする。
【００２３】
また、本発明のビデオカメラでは、前記第１のケーシングの厚さ寸法と前記第２のケーシングの厚さ寸法とを合わせてなるビデオカメラ本体の幅は、前記第１のケーシングの厚さ寸法以外の寸法単独又は前記第２のケーシングの厚さ寸法以外の寸法単独により規定される、ビデオカメラ本体の高さ寸法及び長さ寸法よりも短いこと特徴とする。
【００２４】
また、本発明のビデオカメラでは、前記第１のケーシングの前記第２のケーシングに対する回動対向面の中心位置と、前記第２のケーシングの前記第１のケーシングに対する回動対向面の中心位置と、前記回動機構の回動中心位置とをそれぞれ合わせるようにして、前記第１のケーシングと前記第２のケーシングとは前記回動機構を介して連結されていることを特徴とする。
【００２５】
また、本発明のビデオカメラでは、前記スイッチは、前記スイッチは、スタート/ストップスイッチと、ズームスイッチとであることを特徴とする。
また、本発明のビデオカメラでは、前記スタート/ストップスイッチとズームスイッチとは、前記第１のケーシングの前記第２のケーシングに対する回動対向面にそれぞれ連続する、隣り合う側面にそれぞれ配置されていることを特徴とする。
【００２６】
また、本発明のビデオカメラは、記録再生部が設けられ、一対の端面、及び該一対の端面間を接続する側面を備えた箱体形状の第１のケーシングと、レンズ部及びビューファインダ部が設けられ、一対の端面、及び該一対の端面間を接続する側面を備えた箱体形状の第２のケーシングと、前記第１のケーシングの側面に設けられた操作スイッチと、前記第２のケーシングの一方の端面に、画面向きが調整可能に設けられたモニタ部と、前記第１のケーシングの一方の端面と前記第２のケーシングの他方の端面とを相対向させて、前記第１のケーシングの側面における所定部分を、前記レンズ部の開口部と同方向及び逆方向に向けて配置できるように、前記第２のケーシングに対し前記第１のケーシングを相対回動可能に一体的に連結する回動機構とを備えていることを特徴とする。
【００２７】
そして、本発明のビデオカメラでは、前記第１のケーシングの側面における所定部分は、前記操作スイッチとの関係で規定される側面部分であることを特徴とする。
また、本発明のビデオカメラでは、前記操作スイッチは、スタート/ストップスイッチ又はズームスイッチの中の少なくともいずれかであることを特徴とする。
また、本発明のビデオカメラでは、前記第１のケーシング及び前記第２のケーシングは、各箱体形状が大きさの略同じ薄型直方体形状によって構成されていることを特徴とする。
【００２８】
また、本発明のビデオカメラでは、前記第２のケーシングには、前記第１のケーシングの側面における所定部分が前記レンズ部の開口部と同方向を向いて配置されている前記第２のケーシングの相対回動状態を検出する検出手段が備えられ、該検出手段による前記第２のケーシングの相対回動状態の検出を受けて、前記モニタ部には前記レンズ部により撮影された映像が反転表示されることを特徴とする。
【００２９】
また、本発明のビデオカメラは、レンズ部の開口部が一端側に設けられたカメラ部と、該カメラ部の他端側に設けられたビューファインダ部と、該カメラ部に対して画面を出没自在に揺動可能に設けられ、かつ該カメラ部に対して当該画面を出現させた状態で画面向きを回動可能に設けられたモニタ部と、記録再生部が設けられるとともに、前記カメラ部に回動機構を介して相対回動可能に一体的に連結された本体把持部とを備え、前記モニタ部及び本体把持部は、前記カメラ部を挟んで相対配置され、前記カメラ部に対して互いに独立して回動可能に構成されているとともに、かつ、前記本体把持部は、その把持方向を、少なくとも前記カメラ部の一端側向きと他端側向きとの間で任意に調整可能に構成されていることを特徴とする。
【００３０】
そして、本発明のビデオカメラでは、前記カメラ部の一端側向きは、前記レンズ部の開口部の開口方向であり、前記カメラ部の他端側向きは、前記ビューファインダ部の覗き窓の開口方向であることを特徴とする。
【００３１】
また、本発明のビデオカメラでは、前記カメラ部には、前記本体把持部の把持方向が前記レンズ部の開口部の開口方向と同方向を向いて配置されている前記カメラ部の相対回動状態を検出する検出手段が備えられ、該検出手段による前記カメラ部の相対回動状態の検出を受けて、前記モニタ部には前記レンズ部により撮影された映像が反転表示されることを特徴とする。
【００３２】
また、本発明のビデオカメラは、記録再生部が設けられた第１のケーシングと、レンズ部が設けられた第２のケーシングと、前記第１のケーシング及び第２のケーシングを相対回動可能に一体的に連結する回動機構と、前記第１のケーシングに両端が係止されて架設され、当該第１のケーシングに宛がわれた手の甲が挿通され、当該宛がわれた手の姿勢変化を抑えるストラップ部材と、前記第２のケーシングに画面向きが調整可能に設けられたモニタ部とを備え、前記回動機構は、当該第１のケーシングに宛がわれる手の前記ストラップ部材に対する挿通方向と前記レンズ部の光軸方向とが略直角に交叉する相対回動位置状態を基準位置状態として、前記第１のケーシングを前記第２のケーシングに対して正逆回動可能に一体的に連結することを特徴とする。
【００３３】
そして、本発明のビデオカメラでは、前記回動機構は、基準位置状態から前記第１のケーシングを前記第２のケーシングに対して正方向に回動させて、前記レンズ部の光軸方向によって定まる撮影方向と前記ストラップ部材に対する手の挿通方向とが略同方向になるとともに、基準位置状態から前記第１のケーシングを前記第２のケーシングに対して逆方向に回動させて、前記レンズ部の光軸方向によって定まる撮影方向と前記ストラップ部材に対する手の挿通方向とが略反対方向になるように、前記第１のケーシングを前記第２のケーシングに対して回動位置させることを特徴とする。
【００３４】
また、本発明のビデオカメラでは、前記第１のケーシングには、前記ストラップ部材に手の甲を挿通させ、当該第１のケーシングに宛がった手の指位置に合わせて、スタート/ストップスイッチと、ズームスイッチとを配置してなることを特徴とする。
【００３５】
また、本発明のビデオカメラでは、前記第２のケーシングには、前記レンズ部レンズ部の光軸方向によって定まる撮影方向と反対向きにビューファインダ部が設けられていることを特徴とする。
【００３６】
また、本発明のビデオカメラでは、前記第１のケーシング及び前記第２のケーシングは、大きさが略同じの薄型直方体形状によって構成され、前記回動機構を介してそれぞれのケーシングの厚さ方向に一体的に連結されてビデオカメラ本体を構成することを特徴とする。
【００３７】
さらに、本発明のビデオカメラでは、前記第１のケーシング及び前記第２のケーシングは、基準位置状態で厚さ方向に視て、薄型直方体形状の各縁が略重なることを特徴とする。
【００３８】
また、本発明のビデオカメラでは、前記第１のケーシングの厚さ寸法と前記第２のケーシングの厚さ寸法とを合わせてなるビデオカメラ本体の幅は、前記第１のケーシングの厚さ寸法以外の寸法単独又は前記第２のケーシングの厚さ寸法以外の寸法単独により規定される、ビデオカメラ本体の高さ寸法及び長さ寸法よりも短いこと特徴とする。
【００３９】
また、本発明のビデオカメラでは、前記第１のケーシングの前記第２のケーシングに対する回動対向面の中心位置と、前記第２のケーシングの前記第１のケーシングに対する回動対向面の中心位置と、前記回動機構の回動中心位置とをそれぞれ合わせるようにして、前記第１のケーシングと前記第２のケーシングとは前記回動機構を介して連結されていることを特徴とする。
【発明の効果】
【００４０】
以上のように、本発明によれば、本体把持部を構成する第１のケーシングが、カメラ部を構成する第２のケーシングに対し並列に配置され、かつ第２のケーシングに対し、相対回動可能に一体的に連結されて構成されることにより、どのような撮影姿勢においても、撮影者が撮影する時の、ビデオカメラ本体を支持する手の前腕部と掌のなす角度（手首を折り曲げる角度）を１８０度近傍とする、自然な状態のビデオカメラ本体の把持姿勢（支持姿勢）が確保できる。
【００４１】
また、どのような撮影姿勢においても、ビデオカメラ本体２を支持する手に対する、撮影時に操作されるスタート/ストップスイッチ，ズームスイッチ等といった操作スイッチの位置関係は変わらず、また、これら操作スイッチを操作する際も支持する手の操作指を大きく動かさずに済むので、スイッチ操作を誤るおそれもなく、ビデオカメラ本体２をしっかりと支持した状態で安定操作できる。
【発明を実施するための最良の形態】
【００４２】
以下、本発明の好適な実施の形態のビデオカメラについて、添付図面を参照しながら詳細に説明する。
図１は、本実施の形態のビデオカメラをそのレンズ部側から眺めた外観斜視図である。
図２は、本実施の形態のビデオカメラをそのビューファインダ側から眺めた外観斜視図である。
図３は、本実施の形態のビデオカメラのビューファインダ側の後面である。
【００４３】
本実施の形態のビデオカメラ１は、図１〜図３に示すように、レンズ部１０、記録再生部１２、ビューファインダ１４、画面モニタ１６等が一体的に設けられたビデオカメラ本体２を有する。
【００４４】
このビデオカメラ本体２は、第１のケーシング３と第２のケーシング４とを後述する回動機構によって相対回動可能に連結し、一体化した構成になっている。
本実施の形態の場合、第１のケーシング３及び第２のケーシング４は、何れも直方体の薄型箱体形状になっている。そして、第１のケーシング３及び第２のケーシング４は、薄型箱体の厚さを形成する側面の中の一の面を、その短辺方向（すなわち、箱体の厚さ方向）に沿って湾曲させた湾曲面３ａ，４ａを有する異形直方体形状の薄型箱体からなる。
【００４５】
そして、ビデオカメラ本体２は、このような異形直方体形状の薄型箱体からなる第１のケーシング３及び第２のケーシング４を、その湾曲面３ａ，４ａに連続する一の平坦面同士、すなわちそれぞれ薄型箱体形状の端面同士を相対向させて、回動機構によって相対回動可能に連結した構成になっている。
【００４６】
このような形状からなるビデオカメラ本体２の第１のケーシング３には、ケーシング内部に、撮影した映像データを、例えばビデオテープ，ＤＶＣ（Digital Video Cassette ），メモリカード，ビデオディスク，ハードディスクドライブ等といった記憶媒体に記録し、又この記憶媒体に記憶されている映像データを再生するための記録再生部１２が設けられている。また、ケーシング表面には、図２，図３に示すように、撮影のための各種操作スイッチ２０が臨ませられて設けられている。
【００４７】
これに対し、第２のケーシング４には、湾曲面４ａとなった側面を挟んで相対向する側面４ｂ，４ｄの中、一方の側面４ｂにはレンズ部開口部５が形成され、他方の側面４ｄにはビューファインダ覗き窓６が形成されている。このレンズ部開口部５及びビューファインダ覗き窓６は、それぞれの側面４ｂ，４ｄ上の、湾曲面４ａとなった側面側に寄せて配置されている。
【００４８】
そして、第２のケーシング４の内部には、撮影レンズ及びＣＣＤ撮像素子等を有するレンズ部１０が、レンズ部開口部５にその撮影レンズを臨ませるようにして配置され、また、小型液晶表示素子及び視認レンズを備えた撮影画像の確認用のビューファインダ１４が、ビューファインダ覗き窓６にその視認レンズを臨ませるようにして配置されている。
【００４９】
また、第２のケーシング４のレンズ部開口部５が形成された側面４ｂには、映像音声を集音するための標準マイク８が設けられ、第２のケーシング４の湾曲面４ａとなった側面のレンズ部開口部５側の部分には、ズームマイク等のオプション部品が装着可能なオプション部品装着部９が形成されている。
【００５０】
そして、第１のケーシング３及び第２のケーシング４からなるビデオカメラ本体２は、湾曲面３ａ，４ａとなった側面を同方向に向けた回動状態、すなわち図１〜図３に示した基準位置状態で、図１及び図３に示すように、湾曲面３ａ，４ａとなった側面と相対向する側面３ｃ，４ｃ同士は平坦となり、ビデオカメラ本体２の載置面（底面）２Ｃを形成するとともに、前記した湾曲面３ａ，４ａ同士は、ビデオカメラ本体２の天面（上面）２Ａを形成するようになっている。また、同じくこの基準位置状態で、図１に示すように、第２のケーシング４のレンズ部開口部５が設けられた側面４ｂと、この側面と同じ方向に面した第１のケーシング３の側面３ｂとは、ビデオカメラ本体２の前面２Ｂを形成し、同様にして、図２及び図３に示すように、第２のケーシング４のビューファインダ覗き窓６が設けられた側面４ｄと、この側面４ｄと同じ方向に面した第１のケーシング３の側面３ｄとは、ビデオカメラ本体２の後面２Ｄを形成する。
【００５１】
また、この基準位置状態で、図２及び図３に示すように、第１のケーシング３の、第２のケーシング４との回動対向面と相反する面３ｅは、ビデオカメラ本体２の一方の横面２Ｅを形成するとともに、図１に示すように、第２のケーシング４の、第１のケーシング３との回動対向面と相反する面４ｆは、ビデオカメラ本体２の他方の横面２Ｆを形成する。
【００５２】
その上で、このビデオカメラ本体２の一方の横面２Ｅを形成する第１のケーシング３の面３ｅは、図２及び図３に示すように、ビデオカメラ本体２を支持する撮影者の掌が宛がわれる掌当接面となっている。そのため、この第１のケーシング３の面３ｅには、ストラップ部材３０が、その両側をビデオカメラ本体２の底面２Ｃ側の前後方向に離間させて設けた一対の係止部材３１にそれぞれ装着されて、架設されている。すなわち、ストラップ部材３０は、第１のケーシング３の面３ｅに対してビデオカメラ本体２を支持する撮影者の掌が宛がわれる方向、すなわち把持方向Ｈを、後述のスタート/ストップスイッチ２１やズームスイッチ２３の配置位置との関係で規定する。
【００５３】
ここで、本実施の形態のビデオカメラ１では、図１から図３に示すような基準位置状態で、把持方向Ｈは、撮影方向Ｘすなわちレンズ部１１０の光軸方向ｘ−ｘに対して略直角に交叉するようになっており、第１のケーシング３及び第２のケーシング４の上下方向ｚ−ｚに関して下方側から上方側に向いている。
【００５４】
第１のケーシング３の面３ｅのこのストラップ部材３０の上方側から湾曲面３ａにかけての部分は、開閉可能な蓋部７を形成し、記憶媒体を第１のケーシング３の記録再生部１２に対して脱着可能な構成になっている。
【００５５】
また、本実施の形態では、図２及び図３に示すように、ビデオカメラ本体２の後面２Ｂを構成する、第１のケーシング３の側面３ｄには、撮影のための各種操作スイッチ２０を構成するスタート/ストップスイッチ２１や、撮影モード（カメラモード）と記録画像視聴モード（例えば、ＶＴＲ視聴、ＤＶＣ（Digital Video Cassette ）視聴、メモリカード視聴、等といった記録媒体に記録された画像データの視聴モード）のモード切換スイッチ２２等が設けられている。
【００５６】
また、ビデオカメラ本体２の天面２Ａを構成する、第１のケーシング３の湾曲面３ａには、撮影のための各種操作スイッチ２０を構成するズームスイッチ２３等が設けられている。
【００５７】
これに対し、ビデオカメラ本体２の他方の横面２Ｆを形成する第２のケーシング４の面４ｆには、ビューファインダ１４と同様に撮影の際に撮影対象の映像データを確認表示したり、記録再生部１２の記録媒体に記録された映像データを再生表示したりするための画面モニタ１６が設けられている。
【００５８】
画面モニタ１６は、図１に示すように、レンズ開口部５側の縁部１６ｐを基端側とし、ビューファインダ覗き窓６側の縁部１６ｑを揺動端側として、第２のケーシング４に対して、揺動可能に取り付けられている。この画面モニタ１６の揺動操作によりその縁部１６ｑが第２のケーシング４に対し近接/離間することによって、例えば液晶表示素子によって構成されたモニタ画面が第２のケーシング４から、図１において一点鎖線で示したように現われ、又は実線で示したように第２のケーシング４に隠れる、出没可能な構成となっている。
【００５９】
さらに、この画面モニタ１６は、図１において、符号１６'で矢示した前述のモニタ画面が現われている状態で、その基端と揺動端とを繋いだ軸線回りに回動できる構成となっており、現われたモニタ画面の向きを第２のケーシング４に対して回動調整できる構成になっている。
【００６０】
また、この第２のケーシング４内には、重力方向検出手段１８（図１参照）が備えられており、重力方向検出手段１８は、第２のケーシング４が重力方向に対して、ビデオカメラ本体２の天面２Ａを形成する湾曲面４ａが下向きに、またビデオカメラ本体２の底面２Ｃを形成する側面４ｃが上向きになっている、第２のケーシング４の天地逆状態を検出する。
【００６１】
なお、第２のケーシング４の画面モニタ１６の上方に設けられたスイッチ４０は、記録媒体に記録された映像データをモニタ画面に再生する際の、再生/再生停止/早送り/巻戻し等といった操作スイッチである。
【００６２】
以上のように構成された本実施の形態のビデオカメラ１にあっては、記録再生部１２が収容され、撮影のためのスタート/ストップスイッチ２１，ズームスイッチ２３が設けられた第１のケーシング３が、ビデオカメラ本体２の本体把持部を構成し、レンズ部１０が収容された第２のケーシング４がビデオカメラ本体２のカメラ部を構成する。その上で、ビデオカメラ本体２のカメラ部には、ビューファインダ１４及び画面モニタ１６が設けられている。
【００６３】
その上で、図１に示すように、薄型箱体構成の第１のケーシング３と薄型箱体構成の第２のケーシング４とをその厚さ方向に重ね合わせてなるビデオカメラ本体２の幅寸法Ｗｗは、ビデオカメラ本体２の長さ寸法Ｗｌ及び高さ寸法Ｗｈよりも短く構成されている。
【００６４】
そして、ビデオカメラ本体２の第１のケーシング３によって構成される本体把持部が、画面モニタ１６が設けられている第２のケーシング４によって構成されるカメラ部に対して、次に説明する回動機構によって、一定の回動トルクをもってして相対回動可能に一体的に保持されて構成されている。
【００６５】
図４は、本実施の形態のビデオカメラにおける回動機構の構成図である。
回動機構５０は、第１のケーシング３の回動対向面に固定されて設けられる第１の固定板５１（図１，図３参照）と、第２のケーシング４の回動対向面に固定されて設けられる第２の固定板５２（図２，図３参照）とを回転可能に係合させた構成になっている。
【００６６】
第１の固定板５１は、中央部分に摺動スペーサ５３が嵌合する円形の孔５４を有し、第２の固定板５２と相対向する面には、環状の押え金具５５が、孔５４と同軸に設けられている。押え金具５５は、その外周側部分が内周側部分に対して軸方向にずれた段付プレート形状になっており、内周側部分は第１の固定板５１の板面に当接させられて一体的に固定され、外周側部分は、第１の固定板５１の板面から離間して、第１の固定板５１の板面との間に後述する摺動板５８の係合空間を形成する。そして、押え金具５５の外周側部分の第１の固定板５１側には、後述する摺動板５８に摺接して摺動トルクを発生させるための環状の摺動トルク板５６が固定されて設けられ、反対側の第２の固定板５２側には、例えば板バネ等によって構成されるクリック板５７が周設されている。
【００６７】
一方、第２の固定板５２には、第１の固定板５１と相対向する面に環状の摺動板５８が軸心位置を第１の固定板５１及び押え金具の軸と対応させて固定されて設けられている。摺動板５８は、その内周側部分が外周側部分に対して軸方向にずれた段付プレート形状になっており、外周側部分は第１の固定板５１の板面に当接させられて一体的に固定され、内周側部分は、第２の固定板５２の板面から離間し、押え金具５５によって形成された係合空間に侵入している。そして、摺動トルク板５６の内周側部分は、押え金具５５に設けられた摺動トルク板５６と摺接すべく、前述の摺動スペーサ５３によって付勢案内されている。
【００６８】
また、第２の固定板５２の板面には、押え金具５５に設けられたクリック板５７に対応させて複数の係合孔５９が周設され、クリック板５７のテーパ部５７ａが係合することによって、両固定板５１、５２の相対回動位置を保持できる構成になっている。
【００６９】
また、押え金具５５及び摺動板５８の内周側に位置し、第２の固定板５２に対向する摺動スペーサ５３部分には、ＦＰＣ（フレキシブルプリント基板）によって構成された螺旋状の接続配線６０が、その螺旋部分の軸線を固定板５１、５２の回動軸と同じくするようにして設けられている。この接続配線６０の一方端は、摺動スペーサ５３に設けられた図示せぬ挿通口を介して、第１のケーシング３内に設けられた回路基板に接続され、他方端は、第２の固定板５２に設けられた図示せぬ挿通口を介して、第２のケーシング４内に設けられた回路基板に接続されている。この接続配線６０は、固定板５１、５２の相対回動、すなわち第１のケーシング３と第２のケーシング４との相対回動に基づく前述した両挿通口の位置角度変化に応じた、第１のケーシング３、第２のケーシング４内に対する前記挿通口を介しての進入/退出によって、第１のケーシング３と第２のケーシング４との相対回動に対し、両回路基板の電気的接続を保つ。
【００７０】
そして、本実施形態のビデオカメラ１では、上述した回動機構５０の回動軸（すなわち、図４に示す両固定板５１，５２の相対回動中心）ｏ−ｏを中心として、第１のケーシング３と第２のケーシング４とは相対回動可能になっている。
【００７１】
図５は、本実施の形態のビデオカメラにおける第１のケーシングと第２のケーシングとの相対回動説明図である。
図５に示すように、第１のケーシング３及び第２のケーシング４からなるビデオカメラ本体２は、湾曲面３ａ，４ａとなった側面を同方向に向けた図１〜図３に示した基準位置状態、すなわち、第１のケーシング３に宛がわれる手の前記ストラップ部材３０に対する挿通方向Ｈと、レンズ部１０の光軸方向ｘ−ｘとが略直角に交叉する相対回動位置状態において、ビデオカメラ本体２を構成する第２のケーシング４を固定して考えた場合、この第２のケーシング４に対して、第１のケーシング３は、回動機構５０の回動軸ｏ−ｏを中心として、正逆方向に回動可能になっている。
【００７２】
次に、上記のように構成された本実施の形態のビデオカメラ１の作用について、図面に基づいて説明する。
図６は、本実施の形態のビデオカメラの把持状態の説明図である。
【００７３】
本実施の形態のビデオカメラ１においては、撮影者は、撮影を行う際には、ビデオカメラ本体２を構成する記録再生部１２が収容され、撮影のためのスタート/ストップスイッチ２１、ズームスイッチ２３が設けられた第１のケーシング３と、レンズ部１０、ビューファインダ１４が収容された第２のケーシング４との中、第１のケーシング３だけを把持することによってだけで、ビデオカメラ本体２全体を支持することができる。
【００７４】
その第１のケーシング３の把持の仕方として、撮影者は、ビデオカメラ本体２の天面２Ａを構成する湾曲面３ａと相対向する、ビデオカメラ本体２の底面２Ｃを構成する側面３ｃ側より、支持する手の親指を除く４本の指、及び手の甲を、ストラップ部材３０に挿通させる。そして、撮影者は、ビデオカメラ本体２の横面２Ｅを構成する、掌当接面としての第１のケーシング３の面３ｅに掌を宛がう。
【００７５】
その状態で、ストラップ部材３０に挿通させた親指以外の４本の指を、第１のケーシング３の湾曲面３ａに沿って掛けるようにして第１のケーシング３を把持し、宛がった手の親指を、ストラップ部材３０の外側を廻して、その親指の腹部分を、ビデオカメラ本体２の後面２Ｅを構成する第１のケーシング３の側面３ｅに当接させる。
【００７６】
この結果、図６に示すように、ストラップ部材３０は支持した手の親指と人指し指との間を通って手の甲を跨いで延設された状態になるので、掌を第１のケーシング３の面３ｅに宛がった手の甲をストラップ部材３０によって押えられながら、第１のケーシング３を把持するだけで、ビデオカメラ本体２をしっかりと把持することができる。
【００７７】
さらに、撮影の際に使用されるスタート/ストップスイッチ２１やモード切換スイッチ２２は、把持した手の親指が添えられる第１のケーシング３の側面３ｄに配置されているので、撮影者は、把持した手の親指の指先を動かすだけで、第１のケーシング３の面３ｅに宛がった手の姿勢の変化を最小限に抑えた状態で、これらスイッチ２１，２２を操作することができる。
【００７８】
また、同じく撮影の際に使用されるズームスイッチ２３も、把持した手の親指以外の指が添えられる第１のケーシング３の湾曲面３ａに配置されているので、撮影者は、把持した手の親指以外の指先を動かすだけで、第１のケーシング３の面３ｅに宛がった手の姿勢の変化を最小限に抑えた状態で、スイッチ２３を操作することができる。
【００７９】
さらに、その際、図６に示すように、第１のケーシング３を支持する手も、手首をひねることなく、その前腕部に対して手首をほとんど屈曲させずに、掌を前腕部が伸びる方向と同方向に伸ばして、前腕部と掌との間の角度をほぼ１８０度に保った自然な状態で、ビデオカメラ本体２を支持することができる。
【００８０】
そして、ビデオカメラ本体２は、第１のケーシング３及び第２のケーシング４がそれぞれ異形直方体形状の薄型箱体からなり、その薄い厚さ方向と交叉する端面同士を相対回動可能に連結した構成からなり、かつ、撮影者によって把持される側の第１のケーシング３内に記録媒体が装着される記録再生部１２が収納されているので、ビデオカメラ本体２の重心位置を、ビデオカメラ本体２を把持した手の掌側に近寄せることができ、掌及び手首にかかる負担を抑えることができる。
【００８１】
図７は、代表的な撮影姿勢を例にした本体把持部としての第１のケーシングとカメラ部としての第２のケーシングとの回動調整関係の説明図である。
図７において、図７（ａ）は通常姿勢撮影の場合の各方向の回動調整関係を、図７（ｂ）は高姿勢撮影の場合の各方向の回動調整関係を、図７（ｃ）は低姿勢撮影の場合の各方向の回動調整関係をそれぞれ示す。
【００８２】
本実施の形態のビデオカメラ１によれば、本体把持部としての第１のケーシング３は、カメラ部としての第２のケーシング４に対して、互に相対的に任意の角度関係に調整することできる。そのため、各撮影姿勢に合わせて、撮影方向Ｘによって規定される第２のケーシング４の姿勢位置に対して、第１のケーシング３の向きを、その支持する手の手首をひねることなく、その前腕部に対して手首をほとんど屈曲させずに、掌を前腕部が伸びる方向と同方向に伸ばして、前腕部と掌とが自然な状態になるように回動調整することによって、撮影者２００はビデオカメラ本体２を姿勢に無理なく、しっかりと把持することができる。
【００８３】
例えば、通常姿勢撮影を行う場合、すなわち撮影者２００がビデオカメラ本体２を自身の顔の高さ位置ｈｆに支持して撮影対象を撮影する場合、本体把持部としての第１のケーシング３を、図６に示した前腕部と掌とが自然な状態になるように、図７（ａ）に示すように回動調整する。
【００８４】
すなわち、撮影方向Ｘが例えば水平方向であるとすると、ビデオカメラ本体２の底面２Ｃを構成する第２のケーシング４の側面４ｃの面方向も水平方向に延びるので、同じくビデオカメラ本体２の底面２Ｃを構成する第１のケーシング３の側面３ｃが、第２のケーシング４の側面４ｃとほぼ平行になるように、第２のケーシング４に対して第１のケーシング３を回動調整する。
【００８５】
この回動調整に基づいて、第１のケーシング３の面３ｅに対してビデオカメラ本体２を支持する撮影者の掌が宛がわれる方向を示した把持方向Ｈは、ビデオカメラ本体２の底面２Ｃを構成する第２のケーシング４の側面４ｃ側から、ビデオカメラ本体２の天面２Ａを構成する側面４ａに向けた、第２のケーシング４の上下方向に向くことになる。
【００８６】
これにより、撮影方向Ｘの高さ位置としての撮影者２００自身の顔高さ位置ｈｆと、自身の肩高さ位置との関係から、肘を略９０度に屈曲させた状態で、図６に示した前腕部と掌とが自然な状態のまま第１のケーシング３を把持することができ、肩、肘、手首等に負担をかけない楽な姿勢でビデオカメラ本体２を支持することができる。
【００８７】
この場合、撮影映像の確認は、ビューファインダ１４により、又は、第２のケーシング４から、図１において符号１６'で示したように、画面モニタ１６のモニタ画面が水平方向（すなわち、この場合の撮影方向Ｘに対応）に対して略直角に交叉するようにビューファインダ側（すなわち、ビデオカメラ本体２の後面２Ｄを構成する第２のケーシング４の側面４ｄ側）に向けて行う。
【００８８】
また、高姿勢撮影を行う場合、すなわち撮影者２００がビデオカメラ本体２を自身の顔の高さ位置ｈｆよりも高い高さ位置ｈｈに支持して撮影対象を撮影する場合、本体把持部としての第１のケーシング３を、図６に示した前腕部と掌とが自然な状態になるように、図７（ｂ）に示すように回動調整する。
【００８９】
すなわち、撮影方向Ｘが例えば水平方向であるとすると、ビデオカメラ本体２の底面２Ｃを構成する第２のケーシング４の側面４ｃの面方向も水平方向に延びるので、同じくビデオカメラ本体２の底面２Ｃを構成する第１のケーシング３の側面３ｃを、その側面３ｄ側の部分が第２のケーシング４の側面４ｃよりも高くなり、その側面３ｂ側の部分が第２のケーシング４の側面４ｃよりも低くなるように、第２のケーシング４の側面４ｃに対して回動調整する。
【００９０】
この回動調整に基づいて、第１のケーシング３の面３ｅに対してビデオカメラ本体２を支持する撮影者の掌が宛がわれる方向を示した把持方向Ｈは、ビデオカメラ本体２の後面を構成する第２のケーシング４のビューファインダ覗き窓６が形成された側面４ｄの下方側から、ビデオカメラ本体２の前面を構成する第２のケーシング４のレンズ部１０（レンズ部開口５）が臨む側面４ｂの上方側に向けた、第２のケーシング４の上向き対角方向に向くことになる。
【００９１】
これにより、撮影方向Ｘの高さ位置としての撮影者２００自身の顔高さ位置ｈｆよりも高い高さ位置ｈｈと、自身の肩高さ位置との関係から、肘を略１８０度に伸ばした状態で、図６に示した前腕部と掌とが自然な状態のまま第１のケーシング３を把持することができ、肩、肘、手首等に負担をかけない楽な姿勢でビデオカメラ本体２を支持することができる。
【００９２】
この場合、撮影映像の確認は、第２のケーシング４から、図１において符号１６'で示したように、画面モニタ１６のモニタ画面が水平方向（すなわち、この場合の撮影方向Ｘに対応）に対して略直角に交叉するようにビューファインダ側（すなわち、ビデオカメラ本体２の後面２Ｄを構成する第２のケーシング４の側面４ｄ側）に向けた状態に対して、モニタ画面を斜め下向きになるように、すなわち撮影者２００の腕部が伸びる方向にモニタ画面が向くように、第２のケーシング４に対して回動位置させて行う。
【００９３】
また、低姿勢撮影を行う場合、すなわち撮影者２００がビデオカメラ本体２を自身の顔の高さ位置ｈｆよりも低い高さ位置ｈｌに支持して撮影対象を撮影する場合、本体把持部としての第１のケーシング３を、図６に示した前腕部と掌とが自然な状態になるように、図７（ｃ）に示すように回動調整する。
【００９４】
すなわち、撮影方向Ｘが例えば水平方向であるとすると、ビデオカメラ本体２の底面２Ｃを構成する第２のケーシング４の側面４ｃの面方向も水平方向に延びるので、同じくビデオカメラ本体２の底面２Ｃを構成する第１のケーシング３の側面３ｃを、その側面３ｄ側の部分が第２のケーシング４の側面４ｃよりも高くなり、その側面３ｂ側の部分も第２のケーシング４の側面４ｃよりも高くなるようにして、その側面３ｃの前後方向が逆向きになるように、第２のケーシング４の側面４ｃに対して回動調整する。
【００９５】
この回動調整に基づいて、第１のケーシング３の面３ｅに対してビデオカメラ本体２を支持する撮影者の掌が宛がわれる方向を示した把持方向Ｈは、ビデオカメラ本体２の後面を構成する第２のケーシング４のビューファインダ覗き窓６が形成された側面４ｄ側の上方側から、ビデオカメラ本体２の前面を構成する第２のケーシング４のレンズ部１０（レンズ部開口５）が臨む側面４ｂの下方側に向けた、第２のケーシング４の下向き対角方向に向くことになる。
【００９６】
これにより、撮影方向Ｘの高さ位置としての撮影者２００自身の顔高さ位置ｈｆよりも低い高さ位置ｈｌと、自身の肩高さ位置との関係から、肘を略１８０度に伸ばした状態で、図６に示した前腕部と掌とが自然な状態のまま第１のケーシング３を把持することができ、肩、肘、手首等に負担をかけない楽な姿勢でビデオカメラ本体２を支持することができる。この結果、図１０（ｃ）に示したように無理に腰を屈めることなく、図７（ｃ）に示したように、腰を伸ばした状態での低姿勢撮影も可能になる。
【００９７】
この場合、撮影映像の確認は、第２のケーシング４から、図１において符号１６'で示したように、画面モニタ１６のモニタ画面が水平方向（すなわち、この場合の撮影方向Ｘに対応）に対して略直角に交叉するようにビューファインダ側（すなわち、ビデオカメラ本体２の後面２Ｄを構成する第２のケーシング４の側面４ｄ側）に向けた状態に対して、モニタ画面が斜め上向きになるように、すなわち撮影者２００の腕部が伸びる方向にモニタ画面が向くように、第２のケーシング４に対して回動位置させて行う。
【００９８】
さらに、レンズ部１０を撮影者２００自身の方向に向けて撮影を行う対面撮影の場合も、本実施の形態のビデオカメラ１によれば、図８に示すようにして、肩、肘、手首等に負担をかけない楽な姿勢で行うことができる。
【００９９】
図８は、対面撮影の場合における本体把持部としての第１のケーシングとカメラ部としての第２のケーシングとの回動調整関係の説明図である。
対面撮影を行う場合は、本体把持部としての第１のケーシング３を、図６に示した前腕部と掌とが自然な状態になるように、図７（ｃ）に示すように回動調整する。
【０１００】
すなわち、撮影方向Ｘが例えば水平方向であるとすると、この場合は、ビデオカメラ本体２の底面２Ｃを構成する第１のケーシング３の側面３ｃが、ビデオカメラ本体２の前面を構成する第２のケーシング４のレンズ部開口５が形成された側面４ｂとほぼ平行になるように、第２のケーシング４に対して第１のケーシング３を回動調整する。
【０１０１】
この回動調整に基づいて、第１のケーシング３の面３ｅに対してビデオカメラ本体２を支持する撮影者の掌が宛がわれる方向を示した把持方向Ｈは、ビデオカメラ本体２の前面を構成する第２のケーシング４のレンズ部開口５が形成された側面４ｂ側から、ビデオカメラ本体２の後面を構成する第２のケーシング４のビューファインダ覗き窓６が形成された側面４ｄ側へ向き、撮影方向Ｘの反対向きになる。
【０１０２】
これにより、撮影方向Ｘの高さ位置としての撮影者２００自身の顔高さ位置ｈｆと、自身の肩高さ位置との関係から、肘を略１８０度に伸ばした状態で、図６に示した前腕部と掌とが自然な状態のまま第１のケーシング３を把持することができ、肩、肘、手首等に負担をかけない楽な姿勢でビデオカメラ本体２を支持することができる。
【０１０３】
この場合、撮影映像の確認は、第２のケーシング４から、図１において符号１６'で示したように、画面モニタ１６のモニタ画面が水平方向（すなわち、この場合の撮影方向Ｘに対応）に対して略直角に交叉するようにビューファインダ側（すなわち、ビデオカメラ本体２の後面２Ｄを構成する第２のケーシング４の側面２ｄ側）に向けた状態に対して、撮影方向Ｘは反対向きになるので、モニタ画面も反対向きになるように、ビューファインダ１４側向きから反対側のレンズ部１０側向きになるように、第２のケーシング４に対して回動位置させて行う。
【０１０４】
その際、画面モニタ１６のモニタ画面が天地逆転することになるが、その際は、図１に示した第２のケーシング４内に設けられた重力方向検出手段１８が、通常の場合に対して、ビデオカメラ本体２の底面２Ｃを構成する側面４ｃがビデオカメラ本体２の天面２Ａを構成する側面４ａに対し上側になっている、第２のケーシング４の倒立状態を検出することによって、自動的に画面モニタ１６のモニタ画面に表示される撮影映像を反転させて表示する構成になっている。そのため、モニタ画面が天地逆転することになっても支障なく、撮影映像の確認を行うことができる。
【０１０５】
図９は、本実施の形態のビデオカメラにおいて、ビデオカメラ本体２を支持する撮影者の掌が宛がわれる方向を示した把持方向の説明図である。
ビデオカメラ本体２を構成する第２のケーシング４を固定して、この第２のケーシング４に対して第１のケーシング３を回動させた場合、把持方向Ｈは、図９に示すように、第２のケーシング４の側面４ｂ側、側面４ｃ側、側面４ｄ側、及びこれら側面間の任意の向きに調整可能になっており、本実施の形態によるビデオカメラ１の場合には、第１のケーシング３は第２のケーシング４に対して１８０度を越える範囲で相対回動可能になっている。
【０１０６】
以上説明したように、本実施の形態のビデオカメラ１によれば、撮影姿勢の違いに関係なく、図６に示した前腕部と掌とが自然な状態のまま、ビデオカメラ本体２の本体把持部としての第１のケーシング３を把持することができ、肩、肘、手首等に負担をかけない楽な姿勢でビデオカメラ本体２を支持することができる。
【０１０７】
さらに、本実施の形態のビデオカメラ１によれば、撮影姿勢の違いに関係なく、ビデオカメラ本体２を支持する手に対する、撮影時に操作されるスタート/ストップスイッチ２１，モード切換スイッチ２２，ズームスイッチ２３等といった操作スイッチ２０の位置関係は変わらないので、スイッチ操作を誤るおそれもない。
【０１０８】
また、画面モニタ１６は、本体把持部としての第１のケーシング３ではなく、カメラ部としての第２のケーシング４に揺動可能かつ回動可能に設けられているので、撮影姿勢及び撮影方向Ｘが決まれば、撮影方向Ｘを規定するカメラ部としての第２のケーシング４に対して、本体把持部としての第１のケーシング３及び画面モニタ１６をそれぞれ独立して回動調整を行うことができるから、撮影の際の第１のケーシング３のグリップ方向（把持方向）及び画面モニタ１６の画面方向の調整が繁雑にならず行い易く、撮影姿勢を取る前に予め第２のケーシング４に対して調整しておくこともできる。
【０１０９】
さらに、映像音声を集音する標準マイク８や、ズームマイク等のオプション部品が装着可能なオプション部品装着部９は、撮影方向Ｘを規定するカメラ部としての第２のケーシング４に設けられているので、撮影姿勢の違いによって集音等に支障をきたすこともない。
【０１１０】
本実施の形態のビデオカメラ１は、以上説明したとおりであるが、本発明は上記実施の形態に限定されるものではない。
例えば、第１のケーシング３の側面３ａ及び側面３ｄに対するスタート/ストップスイッチ２１，モード切換スイッチ２２，ズームスイッチ２３等といった操作スイッチ２０の配置は、上記実施の形態の配置でなくとも、例えば、スタート/ストップスイッチ２１が側面３ａに配置され、ズームスイッチ２３が側面３ｄに配置される構成であってもよい。
【０１１１】
また、記録再生部１２も、例えばビデオテープ，ＤＶＣ（Digital Video Cassette ），メモリカード，ビデオディスク，ハードディスクドライブ等といった具体例としての記憶媒体の中のいずれか一又は複数に、映像データを記録したり、記録された映像データを再生したりできる構成のものであればよく、例えばメモリカードのような小型軽量の記録媒体自体は、第２のケーシング４に設けられる構成であってもよい。
また、第１のケーシング３及び第２のケーシング４の形状自体も、薄型直方体に限らず、薄型円柱体等、種々の形状が適用可能である。
【図面の簡単な説明】
【０１１２】
【図１】本実施の形態のビデオカメラをそのレンズ部側から眺めた外観斜視図である。
【図２】本実施の形態のビデオカメラをそのビューファインダ側から眺めた外観斜視図である。
【図３】本実施の形態のビデオカメラのビューファインダ側の後面である。
【図４】本実施の形態のビデオカメラにおける回動機構の構成図である。
【図５】本実施の形態のビデオカメラにおける第１のケーシングと第２のケーシングとの相対回動説明図である。
【図６】本実施の形態のビデオカメラの把持状態の説明図である。
【図７】代表的な撮影姿勢を例にした本体把持部としての第１のケーシングとカメラ部としての第２のケーシングとの回動調整関係の説明図である。
【図８】本実施の形態のビデオカメラの対面撮影の場合における、本体把持部としての第１のケーシングとカメラ部としての第２のケーシングとの回動調整関係の説明図である。
【図９】本実施の形態のビデオカメラにおいて、ビデオカメラ本体２を支持する撮影者の掌が宛がわれる方向を示した把持方向の説明図である。
【図１０】従来技術の画面モニタが可動するシューティング方式のビデオカメラによる代表的な撮影姿勢の説明図である。
【図１１】図１０に示したビデオカメラの通常姿勢撮影及び低姿勢撮影における、撮影者による本体支持部の把持状態の説明図である。
【符号の説明】
【０１１３】
１  ビデオカメラ
２  ビデオカメラ本体
３  第１のケーシング
４  第２のケーシング
５  レンズ部開口部
６  ビューファインダ覗き窓
７  蓋部
８  マイク
９  オプション部品装着部
１０  レンズ部
１２  記録再生部
１４  ビューファインダ
１６  画面モニタ
１８  重力方向検出手段
２０  操作スイッチ
２１  スタート/ストップスイッチ
２２  モード切換スイッチ
２３  ズームスイッチ
３０  ストラップ部材
３１  係止部材
【図１】
2004180270.tif 000003
【図２】
2004180270.tif 000004
【図３】
2004180270.tif 000005
【図４】
2004180270.tif 000006
【図５】
2004180270.tif 000007
【図６】
2004180270.tif 000008
【図７】
2004180270.tif 000009
【図８】
2004180270.tif 000010
【図９】
2004180270.tif 000011
【図１０】
2004180270.tif 000012
【図１１】
2004180270.tif 000013